(57)【要約】      （修正有）【課題】端末ユニットのコストの問題、操作器の操作性の問題の双方を効果的に解決する。【解決手段】端末ユニット１０には、ネットワークＮを介して配信される有料放送のＯＦＤＭ信号Ｓ2aをテレビ受像機ＴＶのＲＦ入力端子に出力するコンバータ１１を内蔵させ、操作器によって有料放送を選択すると、コンバータを作動させるとともに、発光器からの光信号を介してテレビ受像機のチャンネルをコンバータの出力チャンネルに切り換える。【選択図】図１
2012065003.tif 000002
【特許請求の範囲】
【請求項１】
地上デジタル放送を含むデジタル放送の一般放送を視聴可能なテレビ受像機と、ネットワークを介して配信される有料放送のＯＦＤＭ信号を前記テレビ受像機の受信可能なチャンネルに変換して前記テレビ受像機のＲＦ入力端子に出力するコンバータを内蔵する端末ユニットと、前記テレビ受像機、端末ユニットを操作するリモートコントローラ形の操作器と、該操作器からの光信号を受光して操作コードとして前記端末ユニットに送出する受光器と、前記端末ユニットからの操作コードを光信号に変換して前記テレビ受像機の受光部に送出する発光器とを備えてなり、前記端末ユニットは、前記操作器によって有料放送を選択すると、前記コンバータを作動させるとともに、前記発光器からの光信号を介して前記テレビ受像機のチャンネルを前記コンバータの出力チャンネルに切り換えることを特徴とするＣＡＴＶシステムの端末装置。
【請求項２】
前記端末ユニットは、前記発光器からの光信号を介して地上デジタル放送の選択コード、チャンネル番号の入力コード、３桁の数字コードを順に前記テレビ受像機の受光部に送出して前記テレビ受像機のチャンネルを切り換えることを特徴とする請求項１記載のＣＡＴＶシステムの端末装置。
【請求項３】
前記コンバータは、極性を反転させて配信される有料放送のＯＦＤＭ信号の極性を正規の極性に再反転させることを特徴とする請求項１または請求項２記載のＣＡＴＶシステムの端末装置。
【請求項４】
前記コンバータは、前記テレビ受像機が受信可能なチャンネルから偏倚させて配信される有料放送のＯＦＤＭ信号の周波数を前記テレビ受像機が受信可能なチャンネルに変換することを特徴とする請求項１または請求項２記載のＣＡＴＶシステムの端末装置。
【請求項５】
前記端末ユニットは、前記テレビ受像機の外部入力端子にＡＶ信号を出力するテロッパを備えることを特徴とする請求項１ないし請求項４のいずれか記載のＣＡＴＶシステムの端末装置。
【請求項６】
前記受光器、発光器は、一体の受発光ユニットとして前記テレビ受像機の受光部の前面に装着することを特徴とする請求項１ないし請求項５のいずれか記載のＣＡＴＶシステムの端末装置。
【発明の詳細な説明】
【技術分野】
【０００１】
この発明は、地上波デジタル放送を含むデジタル放送の一般放送と、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数多重分割）信号によるデジタル放送の有料放送とを併せて視聴することができるＣＡＴＶシステムの端末装置に関する。
【背景技術】
【０００２】
ホテルや旅館等の施設において広く実用されているＣＡＴＶシステムは、テレビ受像機と端末ユニットとを組み合わせて構成する端末装置を使用することにより、ネットワークを介して配信される一般放送の他、同様にして配信される有料放送の番組を視聴することができる。
【０００３】
端末ユニットは、一般放送、有料放送の全チャンネルを選択し得るチューナを内蔵しており、選択されたチャンネルのＡＶ信号（映像信号と音声信号とを総称していう、以下同じ）を特定のチャンネルのテレビ放送信号に変換してテレビ受像機に出力する（たとえば特許文献１）。そこで、視聴者は、端末ユニットのチューナを選択操作することにより、テレビ受像機を介して全チャンネルの番組を視聴することができる。
【０００４】
しかし、このような方式では、端末ユニットに内蔵するチューナは、地上波デジタル放送などの高品位放送に対応可能としなければならないので、端末ユニットのコストが過大になりがちである。そこで、テレビ受像機に内蔵のチューナを利用して高品位放送の一般放送を視聴させ、端末ユニットを有料放送の視聴に限定する方式も提案されている（特許文献２）。
【先行技術文献】
【特許文献】
【０００５】
【特許文献１】特開平８−２２３５１１号公報
【特許文献２】特開２００６−１４８２１２号公報
【発明の概要】
【発明が解決しようとする課題】
【０００６】
かかる従来技術によるときは、有料放送がデジタル放送化されると、端末ユニット内のチューナもデジタル化する必要があり、端末ユニットのコストの問題を解決することができないという問題がある。また、有料放送の視聴の際には、端末ユニットのチューナによりチャンネルを選択するとともに、テレビ受像機を外部入力モードに切り換えて端末ユニットからのＡＶ信号を視聴させるために、リモートコントローラ形の操作器からの光信号を端末ユニット、テレビ受像機の双方に確実に受光させる必要があるが、操作器の方向によりそれが不確実になることがあるという問題もあった。
【０００７】
そこで、この発明の目的は、かかる従来技術の問題に鑑み、チューナに代えてコンバータを端末ユニットに内蔵するとともに、テレビ受像機に対する操作器の光信号の到達経路を変更することによって、デジタル放送の有料放送を視聴可能とし、端末ユニットのコストの問題、操作器の操作性の問題の双方を効果的に解決することができるＣＡＴＶシステムの端末装置を提供することにある。
【課題を解決するための手段】
【０００８】
かかる目的を達成するためのこの発明の構成は、地上デジタル放送を含むデジタル放送の一般放送を視聴可能なテレビ受像機と、ネットワークを介して配信される有料放送のＯＦＤＭ信号をテレビ受像機の受信可能なチャンネルに変換してテレビ受像機のＲＦ入力端子に出力するコンバータを内蔵する端末ユニットと、テレビ受像機、端末ユニットを操作するリモートコントローラ形の操作器と、操作器からの光信号を受光して操作コードとして端末ユニットに送出する受光器と、端末ユニットからの操作コードを光信号に変換してテレビ受像機の受光部に送出する発光器とを備えてなり、端末ユニットは、操作器によって有料放送を選択すると、コンバータを作動させるとともに、発光器からの光信号を介してテレビ受像機のチャンネルをコンバータの出力チャンネルに切り換えることをその要旨とする。
【０００９】
なお、端末ユニットは、発光器からの光信号を介して地上デジタル放送の選択コード、チャンネル番号の入力コード、３桁の数字コードを順にテレビ受像機の受光部に送出してテレビ受像機のチャンネルを切り換えることができ、コンバータは、極性を反転させて配信される有料放送のＯＦＤＭ信号の極性を正規の極性に再反転させ、または、テレビ受像機が受信可能なチャンネルから偏倚させて配信される有料放送のＯＦＤＭ信号の周波数をテレビ受像機が受信可能なチャンネルに変換することができる。
【００１０】
また、端末ユニットは、テレビ受像機の外部入力端子にＡＶ信号を出力するテロッパを備えてもよく、受光器、発光器は、一体の受発光ユニットとしてテレビ受像機の受光部の前面に装着してもよい。
【発明の効果】
【００１１】
かかる発明の構成によるときは、テレビ受像機は、内蔵するチューナのチャンネルを切換操作することにより、ネットワークを介して配信されるすべてのデジタル放送の一般放送を視聴可能である。ただし、テレビ受像機は、端末ユニット内のコンバータを介してネットワークに接続し、一般放送を視聴するときは、コンバータの作動を停止し、ネットワークからの一般放送のデジタルテレビ信号をそのままテレビ受像機のＲＦ入力端子にパススルーして到達させるものとする。また、テレビ受像機のチャンネルは、リモートコントローラ形の操作器によって選択され、操作器からの光信号は、受光器に入光して電気信号の操作コードに変換され、端末ユニットを経由して発光器に到達し、発光器により光信号に変換されてテレビ受像機の受光部に入光し、テレビ受像機のチューナのチャンネルを切り換えることができる。
【００１２】
一方、操作器によって有料放送が選択されると、操作器からの光信号が受光器を介して操作コードとして端末ユニットに到達する。そこで、端末ユニットは、コンバータを作動させて、ネットワークを介して配信されるデジタル放送の有料放送のＯＦＤＭ信号をテレビ受像機が受信可能なチャンネルに変換するとともに、発光器に所定の操作コードを送出し、発光器からの光信号を介してテレビ受像機のチャンネルをコンバータの出力チャンネルに切り換えることにより、テレビ受像機によって有料放送の視聴を可能にする。なお、有料放送が選択された時点における有料放送のチャンネルは、あらかじめ設定しておく固定のチャンネルとしてもよく、過去に最後に視聴されたチャンネルとしてもよい。また、この場合のテレビ受像機のチャンネルは、端末ユニットから発光器に送出される操作コード、発光部からテレビ受像機の受光部に送出される光信号を介し、有料放送のチャンネルに適合する特定のチャンネルに自動的に切り換えられるものとする。
【００１３】
以上によれば、端末ユニットは、有料放送のＯＦＤＭ信号をテレビ受像機の受信可能なチャンネルに変換するコンバータを内蔵させるだけで済み、デジタルテレビ信号用の高価なチューナを内蔵させる必要がない。また、リモートコントローラ形の操作器からの光信号は、受光器、端末ユニット、発光器を経てテレビ受像機の受光部に入光するため、端末ユニット、テレビ受像機の双方に確実に到達させることができる。
【００１４】
端末ユニットは、テレビ受像機の受光部に対し、発光器からの光信号を介して地上デジタル放送の選択コード、チャンネル番号の入力コード、３桁の数字コードをこの順に送出することにより、テレビ受像機のチャンネルを任意に切り換えることができる。テレビ受像機には、３桁のチャンネル番号を入力することによる地上デジタル放送のダイレクト選局機能が標準的に用意されているからである。この場合の一連のコードは、たとえばそれぞれ数１０mSの時間長のシリアルコードであるが、各コード間に約１００mS程度の無信号時間を設けることにより、各コードの読取りを一層確実にすることができる。なお、３桁のチャンネル番号を入力すると、各チャンネルのリモコンキーＩＤの下位の１桁を指定することができ、有料放送の各チャンネルが帯域幅６MHz のＨＤ映像波であるときのみならず、帯域幅２MHz のＳＤ映像波であっても、適切に対処することができる。
【００１５】
ネットワークを介して配信する有料放送のＯＦＤＭ信号は、市販の地上デジタル放送対応のテレビ受像機によって簡単に視聴できないように、たとえば極性を反転させ、または、テレビ受像機が受信可能なチャンネルから周波数を偏倚させて配信することが好ましい。そこで、端末ユニット内のコンバータは、前者の場合、ＯＦＤＭ信号の極性を正規の極性に再反転させてテレビ受像機に出力し、後者の場合、ＯＦＤＭ信号の周波数をテレビ受像機が受信可能なチャンネルに変換してテレビ受像機に出力することにより、テレビ受像機によって有料放送が視聴可能になる。
【００１６】
端末ユニットは、テロッパを備えることにより、必要に応じてテロッパからのテロップメッセージをテレビ受像機の画面に表示して視聴させることができる。ただし、テロッパは、ＡＶ信号によるテロップメッセージをテレビ受像機の外部入力端子に常時出力しているものとし、端末ユニットは、たとえば有料放送のプレビュー時間がタイムアップしたことを検出すると、発光器からの光信号を介してテレビ受像機を外部入力モードに切り換えることにより、有料放送視聴用のプリペイドカードをカードリーダに挿入すべき旨のテロップメッセージをテレビ受像機の画面に表示させることができる。プリペイドカードによる有料放送の所定の有料視聴時間が経過したときなどにおいても、同様である。
【００１７】
受光器、発光器を一体の受発光ユニットとしてテレビ受像機の受光部の前面に装着すれば、操作器からの光信号を受光器に入光させる際に、操作器をテレビ受像機に向けながら操作すればよく、操作上の違和感を覚えるおそれがない。
【図面の簡単な説明】
【００１８】
【図１】全体ブロック系統図
【図２】要部動作説明図（１）
【図３】操作器の正面図
【図４】プログラムフローチャート（１）
【図５】プログラムフローチャート（２）
【図６】要部動作説明図（２）
【図７】プログラムフローチャート（３）
【図８】プログラムフローチャート（４）
【発明を実施するための形態】
【００１９】
以下、図面を以って発明の実施の形態を説明する。
【００２０】
ＣＡＴＶシステムの端末装置は、テレビ受像機ＴＶ、端末ユニット１０、リモートコントローラ形の操作器２０、受発光ユニット３０を備えてなり（図１）、ＣＡＴＶシステムを構成するネットワークＮに接続されている。なお、ネットワークＮの上流端は、センタ装置Ｃに接続されている。
【００２１】
センタ装置Ｃには、混合器Ｃ1 と、コンバータＣ2 とが含まれており、混合器Ｃ1 の出力は、ネットワークＮに接続されている。混合器Ｃ1 には、地上デジタル放送を含む一般放送の多チャンネルのデジタルテレビ信号Ｓ1 の他、コンバータＣ2 からの有料放送のＯＦＤＭ信号Ｓ2aが入力されており、コンバータＣ2 には、デジタル放送の有料放送の複数チャンネルのＯＦＤＭ信号Ｓ2 が入力されている。
【００２２】
コンバータＣ2 は、入力側のＯＦＤＭ信号Ｓ2 、出力側のＯＦＤＭ信号Ｓ2aの各周波数ｆi 、ｆr とし、内部のローカル周波数ｆo として、ｆr ＝ｆo −ｆi の周波数変換を実行することにより、入力側のＯＦＤＭ信号Ｓ2 の極性を反転させ、出力側のＯＦＤＭ信号Ｓ2aとして混合器Ｃ1 に出力する。そこで、センタ装置Ｃは、混合器Ｃ1 の出力として、一般放送のデジタルテレビ信号Ｓ1 と、有料放送のＯＦＤＭ信号Ｓ2 の極性を反転させたＯＦＤＭ信号Ｓ2aとをネットワークＮ上に配信することができる。ただし、一般放送のデジタルテレビ信号Ｓ1 も、ＯＦＤＭ信号である。
【００２３】
図２（Ａ）には、コンバータＣ2 の動作例が図示されている。すなわち、コンバータＣ2 は、たとえば内部の局部発振部Ｌo のローカル周波数ｆo ＝４３２MHz とし、入力側のＯＦＤＭ信号Ｓ2 のチャンネルＣ35（周波数ｆi ＝２９４〜３００MHz ）とすると、極性が反転されたチャンネルＣ17（周波数ｆr ＝ｆo −ｆi ＝１３８〜１３２MHz ）のＯＦＤＭ信号Ｓ2aを出力することができる。ただし、図２（Ａ）において、入力側、出力側のＯＦＤＭ信号Ｓ2 、Ｓ2aは、たとえばそれぞれ帯域幅２MHz のＳＤ映像波の３波である（同図（Ｃ））。
【００２４】
そこで、入力側のＯＦＤＭ信号Ｓ2 をたとえばチャンネルＣ35〜Ｃ37（周波数ｆi ＝２９４〜３１２MHz ）の帯域幅６MHz のＨＤ映像波の３波とすれば（同図（Ｄ））、コンバータＣ2 は、極性が反転されたチャンネルＣ17（周波数ｆr ＝１３８〜１３２MHz ）、チャンネルＣ16（周波数ｆr ＝１３２〜１２６MHz ）、チャンネルＣ15（周波数ｆr ＝１２６〜１２０MHz ）のＯＦＤＭ信号Ｓ2aを出力することができる。なお、このような極性が反転された周波数ｆr のＯＦＤＭ信号Ｓ2aを正規の極性に再反転させるには、たとえば反転時と同一のローカル周波数ｆo を使用して、元の周波数ｆi ＝ｆo −ｆr に周波数変換すればよい（図２（Ｂ））。
【００２５】
端末ユニット１０は、コンバータ１１の他、制御部１２、テロッパ１３、カードリーダ１４を備えて構成されている（図１）。コンバータ１１は、ネットワークＮの末端に接続されており、コンバータ１１の出力は、テレビ受像機ＴＶのＲＦ入力端子に接続されている。制御部１２の出力は、コンバータ１１、テロッパ１３に個別に接続され、テロッパ１３の出力は、テレビ受像機ＴＶの外部入力端子に接続されている。
【００２６】
テレビ受像機ＴＶのリモートコントロール用の受光部ＴＶa の前面には、受光器３１、発光器３２を一体に組み合わせる受発光ユニット３０が装着されており、受光器３１の出力は、制御部１２に接続され、制御部１２の出力は、発光器３２に接続されている。ただし、リモートコントローラ形の操作器２０からの光信号Ｌは、受光器３１に入光させるものとし、発光器３２からの光信号Ｌt は、テレビ受像機ＴＶの受光部ＴＶa に入光するものとする。また、カードリーダ１４には、有料放送の有料視聴用のプリペイドカードＰＣを挿入するものとし、カードリーダ１４の出力は、制御部１２に接続されている。
【００２７】
テレビ受像機ＴＶは、図示しないチューナを内蔵しており、地上デジタル放送を含むデジタル放送の一般放送の任意のチャンネルを視聴することができる。また、テレビ受像機ＴＶは、操作器２０からの光信号Ｌが受光器３１、制御部１２、発光器３２を介して光信号Ｌt として受光部ＴＶa に到達することにより、操作器２０を使用して任意の必要な操作をすることができる。すなわち、受光器３１は、操作器２０からの光信号Ｌを電気信号の操作コードＳc1に変換して制御部１２に送出し、発光器３２は、制御部１２からの電気信号の操作コードＳc2を光信号Ｌt に変換して受光部ＴＶa に送出することができる。また、制御部１２は、必要に応じ、発光器３２、受光部ＴＶa を介してテレビ受像機ＴＶを任意に自動操作することができる。
【００２８】
操作器２０の表面には、電源キーＫ1aを含むテレビ受像機ＴＶの動作モード切換用のキー群Ｋ1 が装備され（図３）、有料放送キーＫ2aを含む視聴放送ジャンルの選択用のキー群Ｋ2 、チャンネル選択用のキー群Ｋ3 、デジタル放送用のキー群Ｋ4 が配列されている。なお、キー群Ｋ3 には、音量キーが含まれている。操作器２０上の各キーを操作すると、対応する光信号Ｌが先端の発光部から送出され、光信号Ｌを受発光ユニット３０の受光器３１に入光させることにより、端末ユニット１０、テレビ受像機ＴＶに対し、必要な操作を実行させることができる。
【００２９】
端末ユニット１０において、コンバータ１１は、操作器２０上の有料放送キーＫ2aを押して有料放送を選択することにより制御部１２によって起動し（図１、図３）、有料放送キーＫ2a以外のキー群Ｋ2 の各キーを押すことにより、制御部１２によって停止する。なお、停止中のコンバータ１１は、ネットワークＮを介して配信される一般放送のデジタルテレビ信号Ｓ1 の全チャンネルをそのままテレビ受像機ＴＶのＲＦ入力端子にパススルーして出力する。また、動作中のコンバータ１１は、ネットワークＮを介して配信される極性が反転された複数チャンネルの有料放送のＯＦＤＭ信号Ｓ2aの極性を正規の極性に再反転するとともに、テレビ受像機ＴＶが受信可能なチャンネルに変換し、センタ装置Ｃ側のコンバータＣ2 に入力されると同一のＯＦＤＭ信号Ｓ2 に戻した上でテレビ受像機ＴＶのＲＦ入力端子に送出する。テロッパ１３は、所定のテロップメッセージのＡＶ信号Ｓ3 を常時テレビ受像機ＴＶの外部入力端子に送出している。
【００３０】
そこで、テレビ受像機ＴＶは、操作器２０のキー群Ｋ2 に属する有料放送キーＫ2a以外の各キーを操作するとともに、キー群Ｋ3 に属するチャンネル選択用の各キーを操作することにより、内蔵のチューナを介し、デジタル放送の一般放送の任意のチャンネルを選択して視聴することができる。なお、このとき、電源キーＫ1aを含むキー群Ｋ1 に属する各キーの他、キー群Ｋ3 に属する音量キー、キー群Ｋ4 に属する各キーが有効であり、キー群Ｋ4 に属するキーを操作することにより、双方向のデータ放送を楽しむこともできる。操作器２０は、これらの各キーを操作することにより、受光器３１、制御部１２、発光器３２を介し、テレビ受像機ＴＶに対し、光信号Ｌt として所定の操作コードＳc2＝Ｓc1を送出することができるからである。なお、テレビ受像機ＴＶは、電源キーＫ1aにより主電源をオンオフさせることができる。
【００３１】
一方、端末ユニット１０の制御部１２は、操作器２０の電源キーＫ1aを介してテレビ受像機ＴＶの電源が投入されることにより、図４のプログラムをスタートさせる。
【００３２】
プログラムは、まず、操作器２０の有料放送キーＫ2aが押されて有料放送が選択されるのを待って待機する（図４のプログラムステップ（１）、以下、単に（１）のように記す）。この間において、操作器２０は、有料放送キーＫ2a以外の各キーの操作をも受け付け、テレビ受像機ＴＶにより一般放送の任意のチャンネルを視聴することができる。
【００３３】
有料放送キーＫ2aが押されて有料放送が選択されると（１）、プログラムは、コンバータ１１を作動させるとともに（２）、発光器３２、受光部ＴＶa を介してテレビ受像機ＴＶのチャンネルを自動切換することにより（３）、有料放送の所定のチャンネルを視聴させる。なお、ここでいう所定のチャンネルは、たとえば、あらかじめ設定する有料放送の特定のチャンネル、または、前回の有料放送視聴時の最後の視聴チャンネルのいずれかを適宜選択することができる。
【００３４】
つづいて、プログラムは、所定のプレビュー時間の経過を待って待機する（（４）、（５）、（４））。ただし、この間において有料放送のチャンネル切換がなされると（４）、それに応じてテレビ受像機ＴＶのチャンネルを切り換える（６）。このときのチャンネル切換は、たとえば操作器２０上のキー群Ｋ3 内のチャンネルボタン１〜３を図２の有料放送のチャンネルＰ1 、Ｐ2 、Ｐ3 に対応させるものとし、他のチャンネルボタンを無効にするとよい。なお、プレビュー時間とは、有料放送の無料視聴の許容時間であり、プログラムステップ（２）、（３）の実行からの経過時間を図示しないソフトウェア的なタイマによって計測する。プレビュー時間は、たとえばホテルの宿泊客に対して１泊当り数分程度の短時間を設定するものとし、１泊の間にテレビ受像機ＴＶの電源を複数回入切しても、それによってクリアしないものとする。
【００３５】
プレビュー時間が経過すると（５）、プログラムは、テロッパ１３からのテロップメッセージをテレビ受像機ＴＶの画面に表示させて（７）、終了する。なお、このときのテロップメッセージは、たとえば継続して有料放送を視聴するには、別売りのプリペイドカードＰＣをカードリーダ１４に挿入する必要がある旨の案内メッセージである。
【００３６】
図４のプログラムステップ（３）、（６）の「チャンネル切換」のサブルーチンの内容は、たとえば図５のとおりである。
【００３７】
図５において、プログラムは、まず、テレビ受像機ＴＶの視聴放送ジャンルを地上デジタル放送に設定するための選択コードとして、いわゆるＤコードを発光器３２、受光部ＴＶa を介してテレビ受像機ＴＶに出力する（図５のプログラムステップ（１）、以下、単に（１）のように記す）。つづいて、プログラムは、たとえば１００mS程度の所定のタイムディレイの後（２）、チャンネル番号の入力コードをテレビ受像機ＴＶに出力する（３）。ただし、チャンネル番号の入力コードとは、引き続く３桁の数字コードによって視聴チャンネルを指定するダイレクト選局モードをテレビ受像機ＴＶに設定するためのコードである。
【００３８】
つづいて、プログラムは、所定のタイムディレイを介在させながら、チャンネルを指定するための３桁の数字コード「１１１」、「１１２」、「１１３」のいずれかの各桁を順にテレビ受像機ＴＶに出力する（（４）〜（１２））。ただし、プログラムステップ（９）は、３桁の数字コードの最終桁を選択するためのステップであり、図５のプログラムステップ（３）、（６）のいずれによって図５のサブルーチンが起動されたかにより、前者の場合はソフトウェアによって指定され、後者の場合は、操作器２０上のチャンネルボタン１〜３のいずれが押されたかによって決定される。
【００３９】
ちなみに、図５のプログラムステップ（５）〜（１２）は、図２（Ｃ）のＳＤ映像波の３波の有料放送のＯＦＤＭ信号Ｓ2 に対応している。そこで、図２（Ｄ）のＨＤ映像波の３波のＯＦＤＭ信号Ｓ2 に対応させるときは、図５のプログラムステップ（７）とプログラムステップ（９）〜（１２）とを入れ換えることにより、３桁の数字コード「１１１」、「１２１」、「１３１」のいずれかをテレビ受像機ＴＶに出力すればよい。なお、このようにして有料放送の視聴用に設定するテレビ受像機ＴＶのチャンネルは、テレビ受像機ＴＶが視聴可能な地上デジタル放送の空きチャンネルを利用する。
【００４０】
図５の各プログラムステップにおいて、発光器３２、受光部ＴＶa を介してテレビ受像機ＴＶに出力される各コードの一例は、たとえば図６（Ａ）、（Ｂ）に図示するとおりである。図６（Ａ）は、Ｄコード、チャンネル番号の入力コード、数字１〜３の各コードの１６ビットのシリアルコードを示す。また、図６（Ｂ）において、Ｔo ≒１００mSは、図５の各タイムディレイ要素の時間長であり、Ｔ1 ≒６７．６mSは、１６ビットの各コードの時間長である。
【００４１】
図４のプログラムステップ（７）に対応する「テロップ出力」のサブルーチンの内容は、たとえば図７のとおりである。
【００４２】
図７において、プログラムは、まず、コンバータ１１を停止させる（図７のプログラムステップ（１）、以下、単に（１）のように記す）。つづいて、プログラムは、発光器３２、受光部ＴＶa を介し、テレビ受像機ＴＶを外部入力モードに切り換えるために、外部入力選択コードを出力する（２）。そこで、テレビ受像機ＴＶは、外部入力端子に入力されているテロッパ１３からのテロップメッセージを画面に表示することができる。また、このようにしてテロップメッセージを表示中のテレビ受像機ＴＶは、コンバータ１１が停止されているため、操作器２０上の有料放送キーＫ2a以外のキー群Ｋ2 の各キーを操作することにより、一般放送の任意のチャンネルを視聴可能である。
【００４３】
図４のプログラムステップ（５）において、有料放送の所定のプレビュー時間が経過し、プログラムステップ（７）によりテレビ受像機ＴＶの画面にテロップメッセージが表示されると、有料放送の継続視聴を希望する視聴者は、テロップメッセージに従って、たとえば館内の自動販売機を利用して別売りのプリペイドカードＰＣを購入して端末ユニット１０のカードリーダ１４に挿入する。そこで、カードリーダ１４は、正規のプリペイドカードＰＣを受け付けた旨の信号を制御部１２に送出し、制御部１２は、図８のプログラムをスタートさせる。なお、プリペイドカードＰＣは、たとえば１泊ごとの有料放送の有料視聴を許容するものとする。また、カードリーダ１４は、たとえば操作器２０のチャンネル選択用のキーを利用して、有料で購入する別売りの暗証番号情報を手動入力させるソフトウェア的なデータ入力手段を含む他の課金方法を採用してもよい。
【００４４】
図８において、プログラムは、まず、操作器２０の有料放送キーＫ2aが押されて有料放送が選択されるのを待って待機する（図８のプログラムステップ（１）、以下、単に（１）のように記す）。ただし、この間は、図４のプログラムステップ（１）におけると同様に、テレビ受像機ＴＶによる一般放送の任意のチャンネルの視聴が可能である。
【００４５】
そこで、操作器２０の有料放送キーＫ2aを押して有料放送を選択すると（１）、プログラムは、コンバータ１１を作動させるとともにテレビ受像機ＴＶのチャンネルを適切に自動切換し（（２）、（３））、有料放送の有料視聴を開始させる。ただし、プログラムステップ（３）において選択されるチャンネルは、一般に図４のプログラムステップ（５）のプレビュー時間が経過したときに視聴していたチャンネルと同一でよい。
【００４６】
つづいて、プログラムは、一般放送の選択がなされていないことを確認し（４）、有料放送のチャンネルが新たに選択されていないことを確認しながら（５）、プリペイドカードＰＣによる１泊相当の時間（１日）が経過するまで有料放送の有料視聴を許可することができる（（６）、（４）、（５）、（６））。なお、この間において、有料放送キーＫ2a以外のキー群Ｋ2 に属する各キーが操作されて一般放送の選択がなされると（４）、プログラムは、コンバータ１１を停止して（７）、一般放送の視聴状態に戻り、有料放送キーＫ2aが再操作されるのを待って待機する（１）。
【００４７】
また、有料放送の有料視聴の継続中に有料放送のチャンネル切換がなされると（５）、それに応じてテレビ受像機ＴＶのチャンネルを切り換え（８）、有料視聴時間が１日を超えると（６）、コンバータ１１を停止させてテロッパ１３からのテロップメッセージをテレビ受像機ＴＶの画面に表示し（９）、一般放送を視聴可能な状態に復帰させる。なお、プログラムステップ（６）における有料視聴時間の経過は、制御部１２により、たとえばホテルの宿泊客に設定されているチェックアウト時刻の経過によって判定することができる。
【００４８】
以上の説明において、センタ装置ＣのコンバータＣ2 は、有料放送のＯＦＤＭ信号Ｓ2 の極性を反転させることにより（図２（Ａ））、有料放送の違法な無料視聴を阻止し、有料放送のコンテンツを保護することができる。極性が反転されたＯＦＤＭ信号Ｓ2aは、端末ユニット１０のコンバータ１１を介して正規の極性に再反転させない限り、テレビ受像機ＴＶによる視聴が不可能であるからである。
【００４９】
そこで、コンバータＣ2 は、出力側のＯＦＤＭ信号Ｓ2aの周波数ｆr をテレビ受像機ＴＶの受信可能なチャンネルから偏倚させることにより、テレビ受像機ＴＶによる視聴を不可能にしてもよい。このときのコンバータＣ2 は、たとえば、ローカル周波数ｆo をｆo ±△（ただし、０＜△＜２MHz ）にシフトさせればよく、端末ユニット１０のコンバータ１１も、同一のローカル周波数ｆo ±△とすればよい。ただし、このとき、コンバータＣ2 は、入力側のＯＦＤＭ信号Ｓ2 の極性を反転させてもよく、反転させなくてもよい。また、端末ユニット１０のコンバータ１１も、コンバータＣ2 に合わせて、ネットワークＮからのＯＦＤＭ信号Ｓ2aの極性を再反転させ、または再反転させないで、元のＯＦＤＭ信号Ｓ2 に復帰させる。
【００５０】
なお、端末ユニット１０のコンバータ１１は、センタ装置ＣのコンバータＣ2 と同一のローカル周波数ｆo を使用するに代えて、別のローカル周波数ｆoa≠ｆo を使用してもよい。コンバータＣ2 の入力側のＯＦＤＭ信号Ｓ2 と異なるチャンネルのＯＦＤＭ信号Ｓ2bをテレビ受像機ＴＶに送出することができる。また、コンバータ１１は、コンバータＣ2 の入力側のＯＦＤＭ信号Ｓ2 の各チャンネルごとに、それぞれ個別のローカル周波数ｆo を用意してもよい。コンバータ１１は、テレビ受像機ＴＶに対し、有料放送の各チャンネルを任意のチャンネルに変換して出力することができ、複数チャンネルを同一チャンネルに変換して出力することも可能である。
【符号の説明】
【００５１】
Ｎ…ネットワーク
ＴＶ…テレビ受像機
ＴＶa …受光部
Ｓ2 、Ｓ2a…ＯＦＤＭ信号
Ｓ3 …ＡＶ信号
Ｌ、Ｌt …光信号
Ｓc1、Ｓc2…操作コード
１０…端末ユニット
１１…コンバータ
１３…テロッパ
２０…操作器
３０…受発光ユニット
３１…受光器
３２…発光器
【図１】
2012065003.tif 000003
【図２】
2012065003.tif 000004
【図３】
2012065003.tif 000005
【図４】
2012065003.tif 000006
【図５】
2012065003.tif 000007
【図６】
2012065003.tif 000008
【図７】
2012065003.tif 000009
【図８】
2012065003.tif 000010